(57)【要約】【課題】検波電圧の最小点を与える制御電圧と歪を最小にする最適点とが一致しない場合にも歪を最小にし得るフィードフォワード回路を得る。【解決手段】入力信号の位相と振幅を調整する第１ベクトル調整器、第１ベクトル調整器の出力と入力信号とを逆位相で合成することで歪成分を抽出する歪抽出回路、歪抽出回路の出力の位相と振幅を調整する第２ベクトル調整器、第２ベクトル調整器の出力と第１ベクトル調整器の出力とを逆位相で合成し第１ベクトル調整器の出力に含まれる歪成分を除去する歪除去回路、第１ベクトル調整器における調整のための制御電圧を供給する歪抽出ループ制御手段、第２ベクトル調整器における調整のための制御電圧を供給する歪除去ループ制御手段、歪抽出ループ制御手段と歪除去ループ制御手段が供給する制御電圧を補正する補正手段を備える。【選択図】        図１
2004254096.tif 000002
【特許請求の範囲】
【請求項１】
入力信号の位相と振幅を調整する第１ベクトル調整器と、前記第１ベクトル調整器の出力と前記入力信号とを逆位相で合成することで入力信号の歪成分を抽出する歪抽出回路と、前記歪抽出回路の出力の位相と振幅を調整する第２ベクトル調整器と、前記第２ベクトル調整器の出力と前記第１ベクトル調整器の出力とを逆位相で合成することで前記第１ベクトル調整器の出力に含まれる歪成分を除去する歪除去回路と、前記第１ベクトル調整器における調整のための制御電圧を供給する歪抽出ループ制御手段と、前記第２ベクトル調整器における調整のための制御電圧を供給する歪除去ループ制御手段と、前記歪抽出ループ制御手段と歪除去ループ制御手段が供給する制御電圧を補正する補正手段とを備えるフィードフォワード回路。
【請求項２】
入力信号の検波電圧は歪抽出回路から分岐された入力信号検波器から歪抽出ループ制御手段及び歪除去ループ制御手段に送り、制御電圧の補正を行うことを特徴とする請求項１に記載のフィードフォワード回路。
【請求項３】
入力信号の情報は外部コマンド信号から歪抽出ループ制御手段及び歪除去ループ制御手段に送り、制御電圧の補正を行うことを特徴とする請求項１に記載のフィードフォワード回路。
【請求項４】
制御電圧はその掃引中心と掃引ステップをあらかじめ設定し検波電圧の最小値を決定後入力信号の時間的変化に追従させ補正値を設定又は変更することを特徴とする請求項１乃至３のいずれか１項に記載のフィードフォワード回路。
【請求項５】
補正値は歪抽出ループ制御手段および歪除去ループ制御手段に内蔵されている記憶装置にあらかじめ記憶させておくことを特徴とする請求項１乃至４のいずれか１項に記載のフィードフォワード回路。
【発明の詳細な説明】
【０００１】
【発明の属する技術分野】
本発明は、歪補償機能を備えたフィードフォワード回路に関するものである。
【０００２】
【従来の技術】
移動体通信システムでは、音声データだけでなく静止画や動画などの大容量データの送受信が求められている。このような通信システムで用いられる増幅器は、多数のキャリアを同時に増幅するマルチキャリア増幅器が用いられる。マルチキャリア増幅器には、隣接チャネル漏洩電力を押さえる必要があり、低歪な性能が要求される。この低歪な性能を実現する増幅器において、従来から利用されているフィードフォワード歪補償制御では、歪抽出回路と歪除去回路から得られた信号に基づく制御電圧によりベクトル調整器内の減衰器や位相器の振幅と位相を制御することで、出力信号の歪補償を行ってきた。
【０００３】
例えば特開平８−５６１２４号公報図１には従来のフィードフォワード回路のブロック図が記載されている。１は方向性結合器、２はベクトル調整器、３は主増幅器、４は方向性結合器、５，６は遅延線、７はベクトル調整器、８は補助増幅器、９は方向性結合器、１０は増幅器、１１はパイロット信号発生器、１２は検波器、１３は受信器、１４は制御回路、１５，１６はＡ／Ｄ変換器、１７，１８はＤ／Ａ変換器、である。
【０００４】
次に動作について説明する。上記フィードフォワード回路では主増幅器３で増幅した時に生じる出力信号の歪成分を除去するため、入力信号をベクトル調整器２を介して主増幅器３で増幅した歪成分を含む信号と入力信号を遅延線５に通した逆位相の信号とを合成することで歪成分を検出する歪検出ループを有する。また歪検出ループから得られた歪成分のみの信号をベクトル調整器７と補助増幅器８で得た信号を主増幅器３で増幅し遅延線６を通して逆位相で合成し歪を除去する歪除去ループを有する。そして検波器１２で得られた検波出力や受信機１３でパイロット信号を制御回路１４に入力し、ベクトル調整器２を自動調整し歪を補償する。また、特開平８−５６１２４号公報図２には歪補償の最適点を決定するための時間短縮方法として検出値の検出順序が開示されている。
【０００５】
【特許文献１】特開平８−５６１２４号公報
【０００６】
【発明が解決しようとする課題】
特開平８−５６１２４号公報に記載のフィードフォワード制御で行われている具体的制御を図８で示すフローチャートで説明する。図において歪抽出回路（歪検出ループ）と歪除去回路（歪除去ループ）で得られた検波電圧の情報でベクトル調整器内の位相器調整、減衰器の調整を行う。まず、掃引中心とステップを設定し、制御電圧を設定し、検波電圧を取得する。検波電圧の最適点に対して別の掃引中心とステップを決め収束判定する（検波電圧の最小点を知る）。
【０００７】
しかし、この回路では図９に示すように検波電圧の最小点を与える制御電圧が歪を最小にする最適点と一致することを前提としているが、図１０に示すように検波電圧の最小点となる制御電圧が歪を最小にする制御電圧と異なる場合がある。この場合には、検波電圧の最小点を与える制御電圧を与えたとしても十分な歪除去が行えないことを意味する。これはＦＤＭＡ（Ｆｒｅｑｕｅｎｃｙ  Ｄｉｖｉｓｉｏｎ  Ｍｕｌｔｉｐｌｅ  Ａｃｃｅｓｓ）の周波数分割方式（ＦＤＤ）のように移動局や基地局の送信モードが連続送信を採用した場合には検波電圧の最小点を与える制御電圧が歪を最小にする最適点と一致するが、一方、ＴＤＭＡ（Ｔｉｍｅ  Ｄｉｖｉｓｉｏｎ  Ｍｕｌｔｉｐｌｅ  Ａｃｃｅｓｓ）あるいはＣＤＭＡ（Ｃｏｄｅ  Ｄｉｖｉｓｉｏｎ  Ｍｕｌｔｉｐｌｅ  Ａｃｃｅｓｓ）では、周波数時分割方式（ＴＤＤ）を採用するため移動局や基地局では間欠送信（バースト送信）となることに起因している。この問題についてより詳細に説明すると、バースト送信、すなわちＲＦ−Ｉｄｌｅモード（高周波信号の無入力信号期間）がある場合には、図１１及び図１２の左図に示すように入力信号電力の時間的変化により無入力信号期間が生じる。通常、高周波信号に対する検波電圧はＲＦパワーレベル検出ＩＣで実効値として求められるが、この場合、入力信号電力に対応する平均検波電圧は無入力信号期間が長いと小さくなる。さらに、入力信号電力のピーク値は同じでも無入力信号期間に差異があれば平均検波電圧はそれぞれ異なってくる。間欠送信では、図１０に示すように制御電圧／検波電圧の関係が連続送信の場合と変化するため、検波電圧の最小点となる制御電圧が歪を最小にする制御電圧と異なってくることになるという問題を生じる。
【０００８】
本発明は、上記のような問題点を解消することを目的とする。
【０００９】
【課題を解決するための手段】
上記目的を達成するため、この発明に係わるフィードフォワード回路は、増幅器で増幅した出力信号の歪成分を除去するため、入力信号を第１ベクトル調整器を介して主増幅器で増幅した歪成分を含む信号と入力信号を遅延器に通した逆位相の信号と合成し、歪成分を抽出する歪抽出回路を有する。また歪抽出回路から得られた歪成分のみの信号を第２ベクトル調整器と補助増幅器を介して主増幅器で増幅した信号と逆位相で合成し歪を除去する歪除去回路を有する。歪抽出ループ制御手段では、抽出した信号の検波レベルが最小になるように第１ベクトル調整器の減衰量および位相量を調整する。
【００１０】
また歪除去ループ制御手段では、主増幅器の前でパイロット信号を入力し、歪除去回路で抽出したパイロット信号の検波レベルが最小になるように第２ベクトル調整器の減衰量および位相量を調整する。
【００１１】
次に第１ベクトル調整器および第２ベクトル調整器を自動で制御を行うため検波電圧をＡＤ変換しディジタル信号に変換しＣＰＵに入力する。ＣＰＵでの演算結果をＤＡ変換しアナログ信号に変換し制御電圧として出力する。
【００１２】
次に歪成分を最小とするため歪抽出ループ制御手段及び歪除去ループ制御手段では最適な減衰量、位相量を求めるため、フィードフォワード自動制御により得られる最適点での減衰量、位相量との差分を求めこれを補償値として使用する。この補償値を不揮発性メモリー等の記憶装置に記憶させて、常にフィードフォワード自動制御において収束した時点でさらに補正した制御電圧を設定することで出力信号の歪を最小にする。
【００１３】
【発明の実施の形態】
実施の形態１．
本発明におけるフィードフォーワード制御の実施形態を図１に示す。
図１において１０１は基地局送信機の高周波入力信号の入力端子、１０２は入力端子１０１からの高周波入力信号の電力を調整する入力レベルル調整器、１０３は第１分配器、１０４は高周波入力信号の位相と電力を調整する第１ベクトル調整器、１０５は遅延器、１０７は高周波入力信号に重畳されるかもしくは帯域外に設定されたパイロット信号入力端子、１０８は結合器、１０９は第１の結合器、１１０は高周波入力信号を増幅する主増幅器、１１１は第３分配器、１１２は高周波入力信号の歪成分の位相と電力を調整する第２ベクトル調整器、１１３は第２分配器、１１４は遅延器、１１５は歪成分を増幅する補助増幅器、１１７は第２の結合器、１１８は第４分配器、１１９はパイロット信号抽出端子、１２０歪成分が除去された高周波信号を出力する出力端子、１３０は第５分配器、１４０は高周波入力信号を実効値に変換する入力信号検波器である。
【００１４】
１６０はＣＰＵ、演算回路及び不揮発性メモリを含む歪抽出ループ制御手段であり、検波器、Ａ／Ｄ、Ｄ／Ａ入出力端子、コマンド入力信号端子も含まれる。１７０はＣＰＵ、演算回路及び不揮発性メモリを含む歪除去ループ制御手段であり、受信・検波器、Ａ／Ｄ、Ｄ／Ａ入出力端子、コマンド入力端子も含まれる。
【００１５】
次に動作について説明する。入力端子１０１から入力された信号は、入力レベル調整器１０２を介して第１分配器１０３で分配され第１ベクトル調整器１０４で位相と振幅を調整した後、主増幅器１１０にて信号が増幅される。分配器１０３で分配されたもう一方の信号は、遅延器１０５でタイミング遅延させた後、主増幅器１１０で増幅された信号と逆位相で第１の結合器１０９で結合される。これにより抽出された増幅器出力信号の歪成分を分配器１１１で分配し、一方は歪抽出ループ制御手段１６０で検波レベルとして利用し他方は第２ベクトル調整器１１２に入力する。
【００１６】
そして第２ベクトル調整器１１２で位相と振幅を調整した後、補助増幅器１１５で増幅し、この信号と、主増幅器１１０にて増幅した信号を遅延器１１４でタイミング遅延させた信号とを第２結合器１１７で結合し入力信号から歪成分を除去する。歪除去ループ制御手段１７０では、パイロット信号抽出端子１１９の信号を歪除去ループ制御手段１７０に設けられた受信機と検波器で検波レベルが最小になるように第２ベクトル調整器１１２を調整する。検波器としては高周波用パワーレベル検出ＩＣなどが適当である。また、ダイオードとＲＣ積分回路を組込んだバッファ回路を介してアナログ検波信号として取り出しても良い。その後、最終的に増幅された低歪信号を出力端子１２０より得る。
【００１７】
なお上記フィードフォワード制御においては第１ベクトル調整器１０４および第２ベクトル調整器１１２を自動で制御を行う場合、図２に示すようにパイロット信号抽出端子１１９からの出力電圧を歪除去ループ制御手段１７０で検波後ＡＤ変換し、ディジタル信号に変換しＣＰＵに入力する。ＣＰＵでの演算結果をＤＡ変換しアナログ信号に変換し制御電圧として第２ベクトル調整器１１２に出力する。また入力信号のうち第１分配器１０３で分岐された一部の入力信号をさらに第５分配器１３０で分岐し入力信号検波器１４０を介して歪抽出ループ制御手段１６０と歪除去ループ制御手段１７０の両方に入力信号の検波電圧を入力し、歪抽出ループ制御手段１６０と歪除去ループ制御手段１７０のそれぞれでＡＤ変換し、パイロット信号入力端子１１９からの検波電圧を処理したのと同等の手段で第１ベクトル調整器１０４および第２ベクトル調整器１１２への制御電圧をそれぞれ決定する。
【００１８】
すなわち歪成分が最小となる歪抽出ループ及び歪除去ループの減衰量、位相量を求め、フィードフォワード自動制御により得られる最適点での減衰量、位相量との差分を求め補正値（補償値）とする。この補正値を不揮発性メモリ等の記憶装置に記憶させて、常にフィードフォワード自動制御において収束時点で補正した制御電圧を設定することで歪を最小にすることが可能となる。
【００１９】
すなわち、図１１及び図１２の右図に示すように、間欠送信を採用する場合には連続送信の場合に与える制御電圧を予め計算により求めた補正値により補正するとともに、無入力期間の異なる入力信号に対しては無入力期間の長いものほど補正値の値を大きなものとする。また、無入力期間の長いものから短いものに移行する入力信号に対しては補正値は減ずる値とする。逆に無入力期間の短いものから長いものに移行するときは補正値は加算値とする。連続送信の入力信号に対しては補正値を１とし、この値を補正を必要としない値とする。長期間継続する無信号入力に対しては補正値は限りなく大きくなるがこれには限度を設ける。これらはＡ／Ｄ変換器出力の複数のデータをその時間経過によって平均値として特定する。この値をあらかじめ補正データとして歪抽出ループ制御手段１６０、歪除去ループ制御手段１７０内のメモリに格納しておく。
【００２０】
図３に本実施の形態に係るフィードフォワード自動制御のフローチャートを示す。図３において入力信号に応じて歪抽出回路と歪除去回路における自動制御にて第１ベクトル調整器１０４および第２ベクトル調整器１１２の位相量調整、減衰量調整を行う。第１ベクトル調整器１０４の位相量調整に関しては初期の制御電圧を設定しそれを複数の制御電圧に対して決められたステップ数で掃引（変化）させてその時の各々の検波電圧を取得する。そしてこの動作を繰り返す。
【００２１】
検波電圧はその電圧が最小となる制御電圧を求めるのでさらに最小となった検波電圧の制御電圧を掃引中心として制御電圧を変化させて継続して検波電圧の取得を行う動作を繰り返す。掃引中心が端点でない場合はさらに掃引ステップを小さくしていく。掃引ステップが規定値以下のとき収束した、すなわち最小検波電圧と判定する。しかし、図９に示すように通常のフィードフォワード増幅器では前述のように検波電圧の最小点を出力歪の最小と判断しているため、本実施例では制御電圧の収束時にさらにその補正値の付加を行うことで歪補償の精度を向上させる。
【００２２】
次に補正方法について説明する。収束した制御電圧には第１ベクトル調整器１０４の位相器および減衰器の制御値、第２ベクトル調整器１１２の位相器および減衰器の制御値の合計４値が存在する。第１ベクトル調整器１０４に対する位相器、減衰器の制御電圧をＸ１Ｐ、Ｘ１Ａとし第２ベクトル調整器１１２の位相器、減衰器の制御電圧をＸ２Ｐ、Ｘ２Ａとする。図９ではこの４値のうちの一つをＸとした。
【００２３】
図１１或いは図１２に示すように入力信号に対して無信号入力期間が生じた場合の出力信号の歪成分を最小にする最適点の制御電圧が第１ベクトル調整器１０４の位相器、減衰器に対してそれぞれＹ１Ｐ、Ｙ１Ａ、また第２ベクトル調整器１１２の位相器、減衰器に対してＹ２Ｐ、Ｙ２Ａであるとする。図１０ではこの４値のうちの一つをＹとした。このとき必要な補正値はそれぞれ｜Ｙ１Ｐ−Ｘ１Ｐ｜、｜Ｙ１Ａ−Ｘ１Ａ｜、｜Ｙ２Ｐ−Ｘ２Ｐ｜、｜Ｙ２Ａ−Ｘ２Ａ｜となり、これらの補正値を不揮発性メモリに記憶しておき、図３に示すフローチャートの制御電圧設定の収束後の補正有無判断、補正値の設定の一連のタイミングで補正する。図１０では｜Ｙ−Ｘ｜が補正値となる。
【００２４】
補正値は最終的に制御電圧値に換算されるが最適点は最小検波電圧より少し高い検波電圧に相当するので収束値の前後の任意の一点を最適値として良い。最適点は出力波形をスペクトラムアナライザとオシロスコープで観測し歪が最小になる制御電圧に対する補正値をあらかじめ求めておく。
【００２５】
実施の形態２．
実施例１では入力信号端子１０１から第５分配器１３０や入力信号検波器１４０を介して歪抽出ループ制御手段１６０や歪除去ループ制御手段１７０に入力信号を入力して処理したが、図４に示すように上位装置（基地局など）との通信インターフェースを持つフィードフォワード増幅器に関しては、入力信号の情報を上位装置からの直接通信コマンドなどで検波電圧を取得し、コマンド信号端子１８０から直接歪抽出ループ制御手段１６０や歪除去ループ制御手段１７０の不揮発性メモリー内に入力信号のタイプによりあらかじめ設定した補正テーブルを持たせ、入力信号に対応した補正値をテーブルから確定する。
【００２６】
すなわち図５に示すアルゴリズムに示すように入力信号情報に基づき補正する制御電圧を設定することで入力信号の変化に対応して歪が最小になるように補正を行うことができる。上記コマンドはＲＳ２３２ＣやＲＳ４２２レベルのシリアルインターフェースとし、パルス信号で検波電圧の情報を取得する。図６に本実施例の歪抽出ループ制御手段１６０や歪除去ループ制御手段１７０の構成図の一部を示す。ＣＰＵと上位装置とはシリアルインターフェースで入力信号の情報を送受する。
【００２７】
実施の形態３．
図１１、図１２に示すように入力信号の無入力信号の期間の相違により補正値も時間的に変化する。このため入力信号に応じて時間的にさらに精度の高い補正値を設定することができる。本実施例では入力信号の時間的変化すなわち無入力期間の時間的変化から入力信号情報を用いて補正値を決定する手段の例を図７で説明する。図７において例えば無入力期間の少ない入力信号の検波電圧の時間的変化２４と無入力期間が比較的多い入力信号の検波電圧の時間変化２５との波形を比べた場合、無入力期間の少ない入力信号の検波電圧の時間的変化２４の変動は少ないが無入力期間が比較的多い検波電圧の時間的変化２５の変動は多いことがわかる。
【００２８】
従って無入力期間が比較的多い検波電圧の時間的変化２５の場合にはそれらの現在の検波電圧と最小検波電圧とをその時間的変化に対してその差分（Ｍｄ）を算出しそれを補正値に組み込む。すなわち補正値＝Ｍｄ＊α（αは定数）を満足する簡易補正値を算出設定し、本発明の実施の形態１で求めた実測値に換えて図５に示す補正の必要有無判断後に入力信号情報からの補正値を算出し制御電圧を設定することで入力信号の変化に対応して出力信号の歪を最小にすることもできる。
【００２９】
具体的には瞬時（現在）の検波電圧に対して時間的変化で見た最小検波電圧を計算した結果がＭｄ＝０．５Ｖとするとこの値をＡＤ変換する。通常ＡＤ変換は１０ビット（１０２４デジット）で有るからダイナミックレンジが３Ｖで有るとすると１７１デジットとなる。この値にα値が２．４９と設定すると４２９が補正値となる。この補正値は本実施例の場合、出力電圧に換算すると出力電圧＝処理用増幅器の利得Ｘ補正値／Ｄ／Ａ変換器のビット数の半分の関係式から求まる。ここで言う出力電圧は補正すべき制御電圧そのものである。また、利得は７．６５倍、補正値４２９、Ｄ／Ａ変換器が６５５３６デジット（２バイトすなわち１６ビット）とすると補正すべき制御電圧は上記計算からは約１００ｍＶとなる。ここで補正すべき制御電圧には基準値に対して加算、減算があるのでＤ／Ａ変換器のビット数の半分が制御電圧の絶対値となる。なおこの場合のＤ／Ａ変換器のダイナミックレンジは８Ｖである。
【００３０】
上記のように簡易的な補正値（α）を設定することによりあらかじめスペクトルアナライザやオシロスコープで実験値的に求めた補正値を使用しなくても一定値のαに対してＭｄを求めることから補正を実行できる。また、専用の記憶装置を搭載しなくとも制御電圧の最適点に対する値を決めることができるのでＣＰＵの一般処理で使用するＲＡＭやＲＯＭに補正値を収納しておいても良い。
【００３１】
実施の形態４．
本発明の実施の形態１では入力信号の分岐は第５分配器１３０を用いて入力信号検波器１４０に入力したが入力信号は入力端子１０１又は入力レベル調整器１０２又は第１分配器１０３から直接入力信号検波器１４０に入力しても良い。
また入力信号検波器１４０は歪抽出ループ制御手段１６０および歪除去ループ制御手段１７０にそれぞれ直接組み込んでも良い。
【００３２】
実施の形態５．
本発明の実施の形態１から５において歪抽出ループ制御手段１６０および歪除去ループ制御手段１７０はそれぞれ独立させたが両方を一体化させた制御手段であっても良い。
【００３３】
本発明の実施の形態１から６において歪抽出ループ制御手段１６０や歪除去ループ制御手段１７０に搭載される補正回路の不揮発性メモリーは記憶装置であれば揮発性メモリーなどに換えても同様な効果が得られる。
【００３４】
【効果の説明】
本発明においては、フィードフォワード自動制御での最適制御電圧と歪を最小にする最適制御電圧がずれた場合でも従来と同等の歪性能を維持できる効果が得られる。すなわち、バースト信号などの入力信号の無入力期間の変化に対して検波電圧の最小値を補正することにより最も少ない歪性能を実現できる効果がある。
【図面の簡単な説明】
【図１】本発明の実施形態１に係わるフィードフォワード増幅器の構成を示すブロック図である。
【図２】本発明の実施形態１に係わる歪抽出ループ制御手段や歪除去ループ制御手段の説明図である。
【図３】本発明の実施形態１に係わるフィードフォワード自動制御のフローチャートである。
【図４】本発明の実施形態２に係わるフィードフォワード増幅器のブロック図である。自動制御フローチャートである。
【図５】本発明の実施形態２に係わるフィードフォワード自動制御のフローチャートである。
【図６】本発明の実施形態２に係わる歪抽出ループ制御手段や歪除去ループ制御手段の説明図である。
【図７】異なる入力信号に対する検波電圧の時間的変化を説明する図である。
【図８】従来のフィードフォワード自動制御におけるフローチャートである。。
【図９】検波電圧と制御電圧の最適点との関係を説明する図である。
【図１０】検波電圧と制御電圧の最適点との関係を説明する図である。
【図１１】フィードフォワード制御において補正が必要な例を説明する図である。
【図１２】フィードフォワード制御において補正が必要な例を説明する図である。
【符号の説明】
２２  平均化された検波電圧、２３  信号成分のみの検波電圧、２４  無入力期間が少ない入力信号の検波電圧の時間的変化、２５  無入力期間が比較的多い入力信号の検波電圧の時間的変化、  １０１  入力端子、１０２  入力調整器、１０３  第１分配器、１０４  第１ベクトル調整器、１０５  遅延器、１０７  パイロット信号入力端子、１０８  、１０９  第１の結合器、１１０  主増幅器、１１１  第３分配器、１１２  第２ベクトル調整器、１１３  第２分配器、１１４  遅延器、１１５  補助増幅器、１１７  第２の結合器、１１８  第４分配器、１１９  パイロット信号抽出端子、１２０  出力端子、１３０  第５分配器、１４０  入力信号検波器、１６０  歪抽出ループ制御手段、１７０  歪除去ループ制御手段、１８０  コマンド信号端子。
【図１】
2004254096.tif 000003
【図２】
2004254096.tif 000004
【図３】
2004254096.tif 000005
【図４】
2004254096.tif 000006
【図５】
2004254096.tif 000007
【図６】
2004254096.tif 000008
【図７】
2004254096.tif 000009
【図８】
2004254096.tif 000010
【図９】
2004254096.tif 000011
【図１０】
2004254096.tif 000012
【図１１】
2004254096.tif 000013
【図１２】
2004254096.tif 000014